(57)【特許請求の範囲】
【請求項１】
異なる種類の計測値を表示する複数の計測値表示部と、
これら計測値表示部毎に配置され前記各計測値表示部を発光させる複数の光源と、
これら光源を所定のスイッチの操作に応じて点灯動作及び消灯動作させる制御部とを備え、
前記計測値表示部の各々が計測量に応じて回転する指針とこの指針に対応する指標部が形成された表示板とを有し、
前記光源が前記計測値表示部の各々において前記指針を照明する指針用光源と前記表示板を照明する表示板用光源でなり、
前記制御部は前記光源を点灯動作させる際、前記各計測値表示部が前記各計測値表示部毎に所定の順序で発光するように前記指針用光源と前記表示板用光源の双方を前記計測値表示部単位で一斉に点灯動作させると共に、前記光源を消灯動作させる際、前記各計測値表示部が前記各計測値表示部毎に所定の順序で非発光状態となるように前記指針用光源と前記表示板用光源の双方を前記計測値表示部単位で一斉に消灯動作させることを特徴とする車両用計器装置。
【請求項２】
異なる種類の計測値を表示する複数の計測値表示部と、
これら計測値表示部毎に配置され前記各計測値表示部を発光させる複数の光源と、
これら光源を所定のスイッチの操作に応じて消灯動作させる制御部とを備え、
前記計測値表示部の各々が計測量に応じて回転する指針とこの指針に対応する指標部が形成された表示板とを有し、
前記光源が前記計測値表示部の各々において前記指針を照明する指針用光源と前記表示板を照明する表示板用光源でなり、
前記制御部は前記光源を消灯動作させる際、前記各計測値表示部が前記各計測値表示部毎に所定の順序で非発光状態となるように前記指針用光源と前記表示板用光源の双方を前記計測値表示部単位で一斉に消灯動作させることを特徴とする車両用計器装置。
【請求項３】
前記計測値表示部は中央に位置する少なくとも一つの第１の計測値表示部と、この第１の計測値表示部の両側に位置する少なくとも二つの第２，第３の計測値表示部とを備え、前記制御部は前記第１の計測値表示部の次に前記第２，第３の計測値表示部を発光させることを特徴とする請求項１記載の車両用計器装置。
【請求項４】
前記第１の計測値表示部内に所定の車両情報を表示する表示パネルが配置され、この表示パネルの背後にこれを発光させるパネル用光源を備えており、前記制御部は前記第１の計測値表示部を発光させる前に前記表示パネルに前記所定情報を発光表示させることを特徴とする請求項３記載の車両用計器装置。
【請求項５】
前記計測値表示部は中央に位置する少なくとも一つの第１の計測値表示部と、この第１の計測値表示部の両側に位置する少なくとも二つの第２，第３の計測値表示部とを備え、前記制御部は前記第２，第３の計測値表示部の次に第１の計測値表示部を非発光状態となすことを特徴とする請求項２記載の車両用計器装置。
【請求項６】
前記第１の計測値表示部内に所定の車両情報を表示する表示パネルが配置され、この表示パネルの背後にこれを発光させるパネル用光源を備えており、前記制御部は前記第１の計測値表示部の次に前記表示パネルを非発光状態となすことを特徴とする請求項５記載の車両用計器装置。
【請求項７】
前記スイッチが車両のキースイッチまたは車両のライトスイッチのうち何れか一方であることを特徴とする請求項１または請求項２記載の車両用計器装置。
【発明の詳細な説明】
【０００１】
【発明の属する技術分野】
本発明は、例えばオートバイや自動車をはじめとする各種車両に搭載され、様々な計測値や情報を表示する車両用計器装置に関するものである。
【０００２】
【従来の技術】
各種車両には例えばコンビネーションメータと称される車両用計器装置が搭載されている。このコンビネーションメータには、車速やエンジン回転数、燃料、水温、電圧等の互いに異なる計測値を表示する計測値表示部が設けられている。このような計測値表示部は、例えば計測量に応じて回転する指針、この指針に応じた目盛や文字，記号，マーク等の指標部を有する表示板（表示体）、各種車両情報を表示する液晶パネル（表示パネル）を備えている。このような計測値表示部の構成要素や表示パネルは、その背後または前方に配置された光源を通じて照明表示されるようになっている。
【０００３】
ところで、例えば特開平６−２０１４１０号公報には、車両のキースイッチをオンすることで、指針を照明する光源と表示板を照明する光源とを所定の時間差を持たせて点灯させることにより、指針と表示板とを時差発光させ、これによりスイッチオン時の見せ方に変化を与えるようにしたものが示されている。
【０００４】
【発明が解決しようとする課題】
しかしながら、前記公報に記載の車両用計器装置は、各計測値表示部共通の構成要素である複数の指針（第１の組）と、同じく各計測値表示部共通の構成要素である複数の表示板（第２の組）とが予め決められた順番で一斉に発光するだけであるため、スイッチオン時の視覚変化が単調なものとなり、乗員に与える斬新性や面白さ、インパクトの点で物足りなさがあり、改良の余地が残されていた。
またスイッチオフ時はそれまで発光していた全ての計測値表示部が一斉に非発光状態となるため、スイッチオフ時の視覚変化が単調なものとなり、乗員に与える斬新性や面白さ、インパクトの点で物足りなさがあり、この点で改良の余地が残されていた。
また特に夜間等の周囲が暗い状況下でスイッチオンした場合、表示板が一斉に発光するため、暗順応した乗員の目を幻惑させて生理的な不快感を与えることも懸念される。
【０００５】
本発明はこれらの点に鑑みてなされたものであり、その主な目的は、スイッチオン時またはスイッチオフ時の視覚変化を工夫し、商品性を高め得る車両用計器装置を提供せんとするものである。
【０００６】
【課題を解決するための手段】
本発明は、前記目的を達成するため、異なる種類の計測値を表示する複数の計測値表示部と、これら計測値表示部毎に配置され前記各計測値表示部を発光させる複数の光源と、これら光源を所定のスイッチの操作に応じて点灯動作及び消灯動作させる制御部とを備え、前記計測値表示部の各々が計測量に応じて回転する指針とこの指針に対応する指標部が形成された表示板とを有し、前記光源が前記計測値表示部の各々において前記指針を照明する指針用光源と前記表示板を照明する表示板用光源でなり、前記制御部は前記光源を点灯動作させる際、前記各計測値表示部が前記各計測値表示部毎に所定の順序で発光するように前記指針用光源と前記表示板用光源の双方を前記計測値表示部単位で一斉に点灯動作させると共に、前記光源を消灯動作させる際、前記各計測値表示部が前記各計測値表示部毎に所定の順序で非発光状態となるように前記指針用光源と前記表示板用光源の双方を前記計測値表示部単位で一斉に消灯動作させることを特徴とする。
【０００７】
また本発明は前記目的を達成するため、異なる種類の計測値を表示する複数の計測値表示部と、これら計測値表示部毎に配置され前記各計測値表示部を発光させる複数の光源と、これら光源を所定のスイッチの操作に応じて消灯動作させる制御部とを備え、前記計測値表示部の各々が計測量に応じて回転する指針とこの指針に対応する指標部が形成された表示板とを有し、前記光源が前記計測値表示部の各々において前記指針を照明する指針用光源と前記表示板を照明する表示板用光源でなり、前記制御部は前記光源を消灯動作させる際、前記各計測値表示部が前記各計測値表示部毎に所定の順序で非発光状態となるように前記指針用光源と前記表示板用光源の双方を前記計測値表示部単位で一斉に消灯動作させることを特徴とする。
【０００９】
また本発明は、前記計測値表示部は中央に位置する少なくとも一つの第１の計測値表示部と、この第１の計測値表示部の両側に位置する少なくとも二つの第２，第３の計測値表示部とを備え、前記制御部は前記第１の計測値表示部の次に前記第２，第３の計測値表示部を発光させることを特徴とする。
【００１０】
また本発明は、前記第１の計測値表示部内に所定の車両情報を表示する表示パネルが配置され、この表示パネルの背後にこれを発光させるパネル用光源を備えており、前記制御部は前記第１の計測値表示部を発光させる前に前記表示パネルに前記所定情報を発光表示させることを特徴とする。
【００１１】
また本発明は、前記計測値表示部は中央に位置する少なくとも一つの第１の計測値表示部と、この第１の計測値表示部の両側に位置する少なくとも二つの第２，第３の計測値表示部とを備え、前記制御部は前記第２，第３の計測値表示部の次に第１の計測値表示部を非発光状態となすことを特徴とする。
【００１６】
また本発明は、前記スイッチが車両のキースイッチまたは車両のライトスイッチのうち何れか一方であることを特徴とする。
【００１７】
【発明の実施の形態】
以下、添付図面に基づき、本発明による車両用計器装置の実施形態を説明するが、図１から図７は本発明の第１の実施形態として本発明を車両用コンビネーションメータからなる車両用計器装置に適用した場合を示し、図１は車両用計器装置の正面図、図２は図１のＡ−Ａ断面図、図３は図１のＢ−Ｂ断面図、図４は本実施形態による車両用計器装置のシステム構成を示すブロック図、図５は本実施形態における制御部の処理手順を示すフローチャート、図６は本実施形態による光源の発光特性（動作）を示すタイミング図、図７（ａ）〜（ｃ）は図５に示した処理手順に応じた各計測値表示部の発光状態を示す正面図である。
【００１８】
図１において、本実施形態による車両用コンビネーションメータは、例えば車速を表示するスピードメータからなる第１の計測値表示部Ｄ１と、エンジン回転数を表示するタコメータからなる第２の計測値表示部Ｄ２と、タンク内の残燃料を表示するフューエルメータからなる第３の計測値表示部Ｄ３と、エンジン冷却水の温度を表示するテンプメータからなる第４の計測値表示部Ｄ４とを有している。
【００１９】
これら各計測値表示部Ｄ１〜Ｄ４は、車両用コンビネーションメータにおいて第１の計測値表示部Ｄ１が中央に位置し、その左右両側に第２の計測値表示部Ｄ２と第３，第４の計測値表示部Ｄ３，Ｄ４がそれぞれ位置するように配置されている。
【００２０】
第１の計測値表示部Ｄ１内には、電気信号に応じて所定の車両情報を表示する例えば液晶パネルからなる表示パネルＤＰが配置され、この表示パネルＤＰによって例えば車両の走行距離や各種警報、報知情報、時刻、外気温を表示するようになっている（図７参照）。
【００２１】
図２，図３に示すように、各計測値表示部Ｄ１〜Ｄ４は、計器ムーブメントＭに設けられた回転軸Ｍ１に装着され、後述する速度センサの出力に応じて回転動作する指針１と、この指針１の指示対象となる目盛，文字，マーク，記号等の指標部Ｄ１１〜Ｄ４１（図７（ｃ）参照）が形成された表示板（表示体）２とで構成される。なお指標部Ｄ１１〜Ｄ４１のうち、指標部Ｄ１１は計測値表示部Ｄ１の指標部であり、指標部Ｄ２１は計測値表示部Ｄ２の指標部であり、指標部Ｄ３１は計測値表示部Ｄ３の指標部であり、指標部Ｄ４１は計測値表示部Ｄ４の指標部である。
【００２２】
指針１は、後述する光源の点灯によりその照射光を受けて発光可能な透光性合成樹脂により形成されている。なお指針１はこれを発光させる前記光源の非点灯時であっても、その存在が乗員から確認できるようになっている。
【００２３】
表示板２は、透光性の基板２１の背面に例えば黒色の遮光層２２と、例えば白色の半透過層２３とを備えており、半透過層２３は、指標部Ｄ１１〜Ｄ４１の形状に対応して遮光層２２を形成しない抜き領域を覆うように設けられている。また基板２１の表面には、遮光層２２と、半透過層２３を連続的に覆うように暗色のスモーク層２４が形成されている。そして前記光源の消灯時には、スモーク層２４を通じて外光が反射することで表示板２全体が黒っぽく視認され、指標部Ｄ１１〜Ｄ４１が殆ど視認できない。前記光源の点灯時には、その光が半透過層２３及びスモーク層２４を通過し、これにより指標部Ｄ１１〜Ｄ４１が明るく発光表示される。
【００２４】
なお本実施形態では、一枚の基板２１に各計測値表示部Ｄ１〜Ｄ４の指標部Ｄ１１〜４１を形成したが、基板２１は複数に分割形成することもできる。またスモーク層２４の替わりに図示しないスモークカバーを配置し、このスモークカバーによって表示板２及び指針１の前方を覆うことで、前記光源の点灯時に指針１及び表示板２の指標部Ｄ１１〜Ｄ４１が明るく発光表示されるように構成してもよい。なおこのようなスモークカバーやスモーク層２４の採用は任意である。
【００２５】
指針１、表示板２、表示パネルＤＰの背後には、指針１を照明する指針用光源３と、表示板２（指標部Ｄ１１〜Ｄ４１）を照明する表示板用光源（光源）４と、表示パネルＤＰを照明するパネル用光源（光源）５が配置されている。
【００２６】
指針用光源３は、計測値表示部Ｄ１の指針１に対応して複数個配置される第１の指針用光源群３１と、計測値表示部Ｄ２の指針１に対応して複数個配置される第２の指針用光源群３２と、計測値表示部Ｄ３の指針１に対応して複数個配置される第３の指針用光源群３３と、計測値表示部Ｄ４の指針１に対応して複数個配置される第１の指針用光源群３４とで構成されている。
【００２７】
表示板用光源４は、計測値表示部Ｄ１の表示板２に対応して複数個配置される第１の表示板用光源群４１と、計測値表示部Ｄ２の表示板２に対応して複数個配置される第２の表示板用光源群４２と、計測値表示部Ｄ３の表示板２に対応して複数個配置される第３の表示板用光源群４３と、計測値表示部Ｄ４の表示板２に対応して複数個配置される第４の表示板用光源群４４とで構成されている。
【００２８】
パネル用光源５は、表示パネルＤＰの背後に位置して複数個配置され、パネル用光源群５１を形成している。なおパネル用光源５の非点灯時には、表示パネルＤＰは車両情報を発光表示しないようになっている。
【００２９】
なお本実施形態では光源３，４，５として、発光ダイオードを適用したが、光源の形式は任意である。
【００３０】
これら光源３，４，５は、表示板２の背後に配置される回路基板６表面に装着され、図示しない回路パターンを通じて点灯用電力が供給されるようになっている。
【００３１】
回路基板６の背面側には、計器ムーブメントＭが装着され、回路基板６の前記回路パターンを通じて駆動用電力が供給されるようになっている。
【００３２】
さらに回路基板６の前方側には、例えば白色系の遮光性合成樹脂からなる反射体兼フレーム体機能を有するケース体７が設けられている。このケース体７には、指針１の回転中央部に対応して形成され指針用光源群３１〜３４を取り巻く筒状部７１と、指針用光源群３１〜３４に対向しそれらからの光を回転軸Ｍ１を中央とした放射方向に反射する第１の反射壁７２と、表示板２とは所定空間をあけて放射方向に延び第１の反射壁７２からの反射光を表示板２側に反射する第２の反射壁７３とを有し、表示板用光源４及び指針用光源３の光を効率よく表示板２及び指針１側に反射または導光できるように構成されている。
【００３３】
また表示板２の前方には、見返しパネル８が配置され、この見返しパネル８には、サークル状の第１〜第３の開口窓８１〜８３が形成され、第１の開口窓８１から第１の計測値表示部Ｄ１が露出し、第２の開口窓８２から第２の計測値表示部Ｄ２が露出し、第３の開口窓８３から第３，第４の計測値表示部Ｄ３が露出するようになっている。
【００３４】
このような構成において、指針用光源３（第１〜第４の指針用光源群３１〜３４）が点灯すると、その光はケース体７の筒状部７１を介して各計測値表示部Ｄ１〜Ｄ４の指針１に導かれ、指針１を所定色で発光させる。一方、表示板用光源４（第１〜第４の表示板用光源群４１〜４４）が点灯すると、その光はケース体７の第１，第２の反射壁７２，７３によって表示板２側に導かれ半透過層２３を通過することにより指標部Ｄ１１からＤ４１が所定色で発光表示される。
【００３５】
次に本実施形態による車両用計器装置のシステム構成を説明する。
図４において、制御部１０は、車両に搭載されるキースイッチ（スイッチ）ＳＷや速度センサや回転センサ、燃料センサ、温度センサをはじめとする各種センサＳからの入力信号を受信すると、それを予め定められた処理プログラムに従って演算処理し、その処理結果に応じてメータムーブメントＭ，表示パネルＤＰ，各指針用光源群３１〜３４，表示板用光源群４１〜４４，パネル用光源群５１を制御するための制御信号を出力するＣＰＵ１１と、このＣＰＵ１１からの制御信号を受信し、その制御信号に応じてメータムーブメントＭ，表示パネルＤＰ，各指針用光源群３１〜３４，表示板用光源群４１〜４４，パネル用光源群５１を作動させる駆動信号を出力するゲージドライバ（群）１２，パネル用表示ドライバ１３，指針用光源ドライバ（群）１４，表示板用光源ドライバ（群）１５，パネル光源用ドライバ１６とを有する他、前記処理プログラムを記憶する図示しないＲＯＭやデータを一時記憶する図示しないＲＡＭを含むワンチップ形のマイクロコンピュータからなり、回路基板６上に搭載されている。
【００３６】
またＣＰＵ１１には、車両のバッテリＢから電力供給がなされており、キースイッチＳＷの操作に応じて前記処理プログラムを実行する。以下、図５〜図７に基づいてキースイッチＳＷの操作に応じて実行される各指針用光源群３１〜３４，表示板用光源群４１〜４４，パネル用光源群５１の点消灯処理手順（プログラム）について説明する。
【００３７】
図５においてＣＰＵ１１は、ステップ１００でキースイッチＳＷからの信号入力に基づいてキースイッチＳＷのオン・オフ状態を判定し、キースイッチＳＷがオン状態であると判定（ＹＥＳ）すると、ステップ１０１でパネル用光源群５１を一斉に点灯処理する制御信号を出力し、この制御信号を受信したパネル用光源ドライバ１６がパネル用光源群５１を点灯動作させる駆動信号を出力し、これによりパネル用光源群５１が一斉に点灯する（図６中、時刻ｔ１参照）。この処理により表示パネルＤＰがパネル用光源群５１で照らされ、表示パネルＤＰに表示されている情報が発光表示される（図７（ａ）参照）。
【００３８】
次にＣＰＵ１１は、ステップ１０２で内部タイマーによりステップ１０１の処理から所定時間（図５中、時刻ｔ２−時刻ｔ１）経過したか否かを判定し、所定時間経過したと判断（ＹＥＳ）すると、ステップ１０３で第１の指針用光源群３１及び第１の表示板用光源群４１を一斉に点灯処理する制御信号を出力し、この制御信号を受信した指針用光源ドライバ１４及び表示板用光源ドライバ１５が第１の指針用光源群３１及び第１の表示板用光源群４１を点灯動作させる駆動信号を出力し、これにより第１の指針用光源群３１及び第１の表示板用光源群４１が一斉に点灯する（図６中、時刻ｔ２参照）。この処理により第１の計測値表示部Ｄ１を構成する指針１及び第１の指標部Ｄ１１が第１の指針用光源群３１及び第１の表示板用光源群４１で照らされ、それらが発光表示される（図７（ｂ）参照）。
【００３９】
次にＣＰＵ１１は、ステップ１０４でステップ１０３の処理から所定時間（図５中、時刻ｔ３−時刻ｔ２）経過したか否かを判定し、所定時間経過したと判断（ＹＥＳ）すると、ステップ１０５で第２〜第４の指針用光源群３２〜３４及び第２〜第４の表示板用光源群４２〜４４を一斉に点灯処理する制御信号を出力し、この制御信号を受信した指針用光源ドライバ１４及び表示板用光源ドライバ１５が第２〜第４の指針用光源群３２〜３４及び第２〜第４の表示板用光源群４２〜４４を点灯動作させる駆動信号を出力し、これにより第２〜第４の指針用光源群３２〜３４及び第２〜第４の表示板用光源群４２〜４４が一斉に点灯する（図６中、時刻ｔ３参照）。この処理により第２〜第４の計測値表示部Ｄ２〜Ｄ４を構成する指針１及び第２〜第４の指標部Ｄ２１〜Ｄ４１が第２〜第４の指針用光源群３２〜３４及び第２〜第４の表示板用光源群４２〜４４で照らされ、それらが発光表示される（図７（ｃ）参照）。
【００４０】
以上が各指針用光源群３１〜３４，表示板用光源群４１〜４４，パネル用光源群５１の点灯処理手順であるが、この処理手順により、図７（ａ）〜（ｃ）に示すように表示パネルＤＰ→第１の計測値表示部Ｄ１→第２〜第４の計測値表示部Ｄ２〜Ｄ４の順で発光表示が行われる。
【００４１】
次にＣＰＵ１１は、ステップ１０６でキースイッチＳＷのオン・オフ状態（オン状態が継続しているか否か）を判定し、キースイッチＳＷがオン状態であると判定（ＹＥＳ）すると、ステップ１０７で第１〜第４の指針用光源群３１〜３４及び第１〜第４の表示板用光源群４１〜４４及びパネル用光源群５１の点灯状態を維持する（図７（ａ）〜（ｃ）参照）。
【００４２】
ステップ１０６でキースイッチＳＷがオフ状態であると判定（ＮＯ）すると、ステップ１０８で第２〜第４の指針用光源群３２〜３４及び第２〜第４の表示板用光源群４２〜４４を点灯させる制御信号の出力を停止し、この出力停止に応じて指針用光源ドライバ１４及び表示板用光源ドライバ１５が第２〜第４の指針用光源群３２〜３４及び第２〜第４の表示板用光源群４２〜４４を点灯動作させる駆動信号の出力を停止し、これにより第２〜第４の指針用光源群３２〜３４及び第２〜第４の表示板用光源群４２〜４４が一斉に消灯する（図６中、時刻ｔ４参照）。この処理により第２〜第４の計測値表示部Ｄ２〜Ｄ４を構成する指針１及び第２〜第４の指標部Ｄ２１〜Ｄ４１の発光表示が停止する（図７（ｂ）参照）。
【００４３】
次にＣＰＵ１１は、ステップ１０９でステップ１０８の処理から所定時間（時刻ｔ５−時刻ｔ４）経過した否かを判定し、所定時間経過した判断（ＹＥＳ）すると、ステップ１１０で第１の指針用光源群３１及び第１の表示板用光源群４１を点灯させる制御信号の出力を停止し、この出力停止に応じて指針用光源ドライバ１４及び表示板用光源ドライバ１５が第２〜第４の指針用光源群３２〜３４及び第２〜第４の表示板用光源群４２〜４４を点灯動作させる駆動信号の出力を停止し、これにより第１の指針用光源群３１及び第１の表示板用光源群４１が一斉に消灯する（図６中、時刻ｔ５参照）。この処理により第１の計測値表示部Ｄ１を構成する指針１及び第１の指標部Ｄ１１の発光表示が停止する（図７（ａ）参照）。
【００４４】
次にＣＰＵ１１は、ステップ１１１でステップ１１０の処理から所定時間（時刻ｔ６−時刻ｔ５）経過した否かを判定し、所定時間経過した判断（ＹＥＳ）すると、ステップ１１２でパネル用光源群５１を点灯させる制御信号の出力を停止し、この出力停止に応じてパネル用光源ドライバ１６がパネル用光源群５１を点灯動作させる駆動信号の出力を停止し、これによりパネル用光源群５１が一斉に消灯する（図６中、時刻ｔ６参照）。この処理により表示パネルＤＰに表示されている情報の発光表示が停止される（図１参照）。
【００４５】
以上が各指針用光源群３１〜３４，表示板用光源群４１〜４４，パネル用光源群５１の消灯処理手順であるが、この処理手順により、第２〜第４の計測値表示部Ｄ２〜Ｄ４→第１の計測値表示部Ｄ１→表示パネルＤＰの順で発光表示が停止される。
【００４６】
以上のように本実施形態では、異なる種類の計測値を表示する複数の計測値表示部Ｄ１〜Ｄ４と、これら計測値表示部Ｄ１〜Ｄ４毎に配置され各計測値表示部Ｄ１〜Ｄ４を発光させる複数の光源３，４（第１〜第４の指針用光源群３１〜３４及び第１〜第４の表示板用光源４１〜４４）と、これら光源３，４を各計測値表示部Ｄ１〜Ｄ４毎に点灯動作させる制御部１０とを備えており、制御部１０はキースイッチ（所定のスイッチ）ＳＷをオン操作すると、各計測値表示部Ｄ１〜Ｄ４が所定の順序で発光するように光源３，４を点灯動作させることにより、キースイッチＳＷオン時の視覚変化に斬新性または面白さまたはインパクトまたは躍動感を与え、商品性を向上させることができる。また各計測値表示部Ｄ１〜Ｄ４が順番に発光表示されるため、乗員の目に与える刺激を緩和でき、違和感、不快感を抑制でき、特に夜間等の周囲が暗い状況下でスイッチオンした場合には、乗員の目の明順応に合わせて光量が増すため目への刺激が抑えられ、これによっても商品性を向上させることができる。
【００４７】
また本実施形態では、異なる種類の計測値を表示する複数の計測値表示部Ｄ１〜Ｄ４と、これら計測値表示部Ｄ１〜Ｄ４毎に配置され各計測値表示部Ｄ１〜Ｄ４を発光させる複数の光源３，４（第１〜第４の指針用光源群３１〜３４及び第１〜第４の表示板用光源４１〜４４）と、これら光源３，４を各計測値表示部Ｄ１〜Ｄ４毎に点灯動作させる制御部１０とを備えており、制御部１０はキースイッチＳＷをオフ操作すると、各計測値表示部Ｄ１〜Ｄ４が所定の順序で非発光状態となるように光源３，４を消灯動作させることにより、キースイッチＳＷオフ時の視覚変化に斬新性や面白さ、インパクトを与え、商品性を向上させることができる。
【００４８】
また本実施形態では、計測値表示部Ｄ１〜Ｄ４が計測量に応じて回転する指針１と、この指針１に対応する指標部Ｄ１１〜Ｄ４１を有する表示板２とを有し、制御部１０が計測値表示部Ｄ１〜Ｄ４を構成する指針１とこれに対応する指標部Ｄ１１〜Ｄ４１をセットで発光もしくは非発光状態となす例を示したが、少なくとも表示板２を所定の順序で発光状態もしくは非発光状態となすものであれば、必ずしも指針１の発光と組み合わせなくともよく、例えば指標部Ｄ１１〜Ｄ４１だけを所定の順序で発光もしくは非発光となした後、各指針１を発光もしくは非発光となしてもよい。
【００４９】
また本実施形態では、第１の計測値表示部Ｄ１が中央に配置され、この第１の計測値表示部Ｄ１の図１中、左側に第２の計測値表示部Ｄ２が配置され、この第２の計測値表示部Ｄ２に対し第１の計測値表示部Ｄ１を挟んで反対側（すなわち図１中、第１の計測値表示部Ｄ１の右側）に第３，第４の計測値表示部Ｄ３，Ｄ４を配置し、第１の計測値表示部Ｄ１を発光表示させた後、第２〜第４の計測値表示部Ｄ２〜Ｄ４を同時に発光表示させることにより、中央に位置する第１の計測値表示部Ｄ１が発光表示した後、その両側に位置する第２〜第４の計測値表示部Ｄ２〜Ｄ４が発光表示されるため、中央から外側に光が広がるように各計測値表示部Ｄ１〜Ｄ４を発光させることができ、これにより例えば走行準備に係わる躍動感を強調でき、商品性をより向上させることができる。この場合、中央に位置する計測値表示部Ｄ１と外側（両側）に位置する計測値表示部Ｄ２〜Ｄ４の数は任意であり、中央から外へ光が広がるように発光表示させることができれば、計測値表示部Ｄ１〜Ｄ４の配置レイアウト（縦、横、斜め方向及び奥行き方向）も任意である。
【００５０】
また本実施形態のように、第１の計測値表示部Ｄ１内に所定の車両情報を表示する表示パネルＤＰが配置され、この表示パネルＤＰを発光させるパネル用光源５を有する場合、第１の計測値表示部Ｄ１を発光表示させる前に表示パネルＤＰに所定情報を発光表示させてもよく、このように構成することにより、キースイッチＳＷオン時の視覚変化に斬新性や面白さまたはインパクトを与え、商品性を向上させることができる。
【００５１】
また本実施形態では、第２〜第４の計測値表示部Ｄ２〜Ｄ４を発光表示を停止した後、第１の計測値表示部Ｄ１の発光表示を停止することにより、外側から中央に向けて順番に発光表示が停止される（消灯する）ため、キースイッチＳＷオフ時の視覚変化に斬新性や面白さまたはインパクトを与え、商品性を向上させることができる。この場合も中央に位置する計測値表示部Ｄ１と外側（両側）に位置する計測値表示部Ｄ２〜Ｄ４の数は任意であり、外から中央へ向かうに従って発光表示が停止することができれば、計測値表示部Ｄ１〜Ｄ４の配置レイアウト（縦、横、斜め方向及び奥行き方向）も任意である。
【００５２】
また本実施形態では、第１の計測値表示部Ｄ１内に表示パネルＤＰが配置され、この表示パネルＤＰの背後にパネル用光源５を備える場合、第１の計測値表示部Ｄ１の次に表示パネルＤＰの発光表示を停止することにより、キースイッチＳＷオフ時の視覚変化に斬新性や面白さ、インパクトを与え、商品性を向上させることができる。
【００５３】
なお本実施形態では、見返しパネル８の開口窓８１〜８３単位で点灯時には表示パネルＤＰ→第１の計測値表示部Ｄ１→第２〜第４の計測値表示部Ｄ２〜Ｄ４の順で発光表示させ、消灯時にはこれとは逆に第２〜第４の計測値表示部Ｄ２〜Ｄ４→第１の計測値表示部Ｄ１→表示パネルＤＰの順で発光表示を停止する例を示したが、表示パネルＤＰも含めた各計測値表示部Ｄ１〜Ｄ４の発光表示順序は任意であり、少なくとも２つの計測値表示部Ｄ１〜Ｄ４（ブロック単位でもよい）が所定の順序で発光もしくは非発光状となればよく、例えば図１中最も左側の計測値表示部Ｄ２から発光表示を開始し、その次に第１の計測値表示部Ｄ１を発光表示させ、その次に第３の計測値表示部Ｄ３を発光表示させ、その次に第４の計測値表示部Ｄ４を発光表示させ、最後に表示パネルＤＰを発光表示させてもよく、これとは逆の順序で発光表示させてもよい。また前記順序で発光表示の停止を行うこともできる。さらに各計測値表示部Ｄ１〜Ｄ４の発光開始・停止順序は、上記のように各計測値表示部Ｄ１〜Ｄ４の配置に基づく順序の他、それらの種別に応じて順序づけを行ってもよく、例えば計測値変化の激しいスピードメータからなる計測値表示部Ｄ１とタコメータからなる計測値表示部Ｄ２の発光開始または発光停止後に、これら計器表示部Ｄ１，Ｄ２ほど計測値変化が激しくないフューエルメータからなる第３の計測値表示部Ｄ３とテンプメータからなる第４の計測値表示部Ｄ４の発光開始または発光停止を行ってもよく、その逆の順序で発光開始または発光停止を行ってもよい。
【００５４】
また本実施形態では、第１〜第４の表示板用光源群４１〜４４が計測値表示部Ｄ１〜Ｄ４毎または計測値表示部Ｄ１〜Ｄ４のブロック毎に一斉に点灯する例を示したが、第１〜第４の表示板用光源群４１〜４４の中で個々の光源を順序付けて点灯または消灯させてもよいし、個々の光源をブロック分けし、各ブロック毎に順序付けして点灯または消灯してもよい。
【００５５】
なお本発明の第２の実施形態として図示しないが、前記第１の実施形態の表示パネル２に替えて、例えば電気信号に応じて駆動される液晶パネルからなる受光型表示パネルを採用し、この受光型表示パネルにて指標部Ｄ１１〜Ｄ４１を表示するようにし、またこれを光源にて照明するようにしてもよい。なおこのような受光型表示パネルを採用する場合、指針１の採用は任意であり、受光型表示パネルだけで異なる種類の計測値（例えば車速、エンジン回転数、残燃料、水温）を表示するよう構成してもよい。
【００５６】
また本発明の第３の実施形態として図示しないが、前記第２の実施形態の受光型表示パネルに替えて、例えば蛍光表示管（ＶＦＤ）や有機ＥＬパネル（ＯＥＬＤ）からなる自発光型表示パネルを採用してもよい。この場合、計測値表示部Ｄ１〜Ｄ４を照明する光源は不要である。
【００５７】
なお前記のように受光型表示パネルや自発光型表示パネルを採用する場合、それに形成される計測値表示部Ｄ１〜Ｄ４は、単一もしくは複数の受光型表示パネルまたは自発光型表示パネルで構成できる。
【００５８】
また本発明の第４の実施形態として図示しないが、キースイッチＳＷに替えて車両の前照灯をオン・オフするライトスイッチを採用してもよい。
【００５９】
【発明の効果】
以上詳述したように、本発明によれば、所期の目的を達成することができ、スイッチオン時及びスイッチオフ時、あるいはスイッチオフ時の視覚変化を工夫し、商品性を高め得る車両用計器装置を提供することができる。
【図面の簡単な説明】
【図１】本発明の第１の実施形態による車両用計器装置の正面図。
【図２】図１のＡ−Ａ断面図。
【図３】図１のＢ−Ｂ断面図。
【図４】本発明の第１の実施形態による車両用計器装置のシステム構成を示すブロック図。
【図５】本実施形態における制御部の処理手順を示すフローチャート。
【図６】本実施形態による光源の発光特性（動作）を示すタイミング図。
【図７】（ａ）〜（ｃ）は図６に示した処理手順に応じた各計測値表示部の発光状態を示す正面図。
【符号の説明】
１  指針
２  表示板（表示体）
３  指針用光源（光源）
４  表示板用光源（光源）
５  パネル用光源（光源）
６  回路基板
７  ケース体
８  見返しパネル
１０  制御部
１１  ＣＰＵ
１２  ゲージドライバ
１３  指針用光源ドライバ
１４  表示板用光源ドライバ
１５  パネル用光源ドライバ
１６  パネル用表示ドライバ
２１  基板
２２  遮光層
２３  半透過層
２４  スモーク層
３１  第１の指針用光源群
３２  第２の指針用光源群
３３  第３の指針用光源群
３４  第４の指針用光源群
４１  第１の表示板用光源群
４２  第２の表示板用光源群
４３  第３の表示板用光源群
４４  第４の表示板用光源群
５１  パネル用光源群
７１  筒状部
７２  第１の反射壁
７３  第２の反射壁
８１  第１の開口窓
８２  第２の開口窓
８３  第３の開口窓
Ｂ  バッテリ
Ｄ１  第１の計測値表示部（計測値表示部）
Ｄ２  第２の計測値表示部（計測値表示部）
Ｄ３  第３の計測値表示部（計測値表示部）
Ｄ４  第４の計測値表示部（計測値表示部）
ＤＰ  表示パネル
Ｄ１１〜Ｄ４１  指標部
Ｍ  計器ムーブメント
Ｍ１  回転軸
Ｓ  各種センサ
ＳＷ  キースイッチ（スイッチ）
【図１】
0004088754.tif 000002
【図２】
0004088754.tif 000003
【図３】
0004088754.tif 000004
【図４】
0004088754.tif 000005
【図５】
0004088754.tif 000006
【図６】
0004088754.tif 000007
【図７】
0004088754.tif 000008